(57)【要約】 【課題】  本発明は、ブラックライトと蛍光体をコンパクトにまとめて、幻想的な空間を創り上げることを目的とするものである。【解決手段】  本発明は、蛍光塗料を照らすブラックライトをカバーで覆った照明部と、前記照明部の下側に、内部に取替可能な背景を設置したケース、前記ケースを支える枠並びに前記枠の下部の台に設けられたライトボタン、音声ボタン、香料ボタン、タイマー及びセンサーからなる本体部とからなり、背景として泡や浮遊物等を蛍光塗料で描き、ケース内に砂を敷き、蛍光塗料で塗装した珊瑚礁、ヒトデ及び貝等を置くことで、幻想的な海底の景色を表現したことを特徴とするブラックライトによる蛍光装飾置物の構成とした。【選択図】  図１
2005219385.tif 000002
【特許請求の範囲】
【請求項１】
蛍光塗料を照らすブラックライトをカバーで覆った照明部と、前記照明部の下側に、内部に取替可能な背景を設置したケース、前記ケースを支える枠並びに前記枠の下部の台に設けられたライトボタン、音声ボタン、香料ボタン、タイマー及びセンサーからなる本体部とからなり、背景として泡や浮遊物等を蛍光塗料で描き、ケース内に砂等を敷き、蛍光塗料で塗装した珊瑚礁、ヒトデ及び貝等を置くことで、幻想的な海底の景色を表現したことを特徴とするブラックライトによる蛍光装飾置物。
【請求項２】
本体部のケースの裏側に差込孔を設け、前記差込孔に自由に描いた又は印刷した背景プレートを入れ、背景を交換可能としたことを特徴とする請求項１記載のブラックライトによる蛍光装飾置物。
【請求項３】
背景として山、月又は星等を蛍光塗料で描き、本体部のケース内に民家等を置き、屋内や草等を蛍光塗料で塗装することで、幻想的な田舎の景色を表現したことを特徴とする請求項１又は請求項２記載のブラックライトによる蛍光装飾置物。
【請求項４】
本体部のケース内から民家等を取り出し単独の置物とし、ライトボタン、音声ボタン、香料ボタン、タイマー及びセンサーを設けたことを特徴とする請求項３記載のブラックライトによる蛍光装飾置物。
【請求項５】
円筒状の外側ガラス管の内部に内側ガラス管を入れて２重にし、前記内側ガラス管の表面に交換可能なフィルムを巻き付け、前記フィルムに蛍光塗料により絵柄を描き、ブラックライトで照射するようにした屋外灯で、前記屋外灯を幻想的な照明にしたことを特徴とするブラックライトによる蛍光装飾置物。
【請求項６】
フィルムを巻き付けた内側ガラス管の代わりに人形を置き、外側ガラス管の内壁に差込孔を設け、前記差込孔に自由に描いた又は印刷した背景プレートを入れ、背景を交換可能としたことを特徴とする請求項５記載のブラックライトによる蛍光装飾置物。
【請求項７】
外側ガラス管にライトボタン、音声ボタン、香料ボタン、タイマー及びセンサーを設けたことを特徴とする請求項５又は請求項６記載のブラックライトによる蛍光装飾置物。
【請求項８】
直方体状の透明なケースの中に蛍光塗料で書いた文字板を持たせた人形を配置し、ブラックライトで照射するようにした看板灯で、前記看板灯を幻想的な看板にしたことを特徴とするブラックライトによる蛍光装飾置物。
【請求項９】
ケースの背面に差込孔を設け、前記差込孔に自由に描いた又は印刷した背景プレートを入れ、背景を交換可能としたことを特徴とする請求項８記載のブラックライトによる蛍光装飾置物。
【請求項１０】
ケースにライトボタン、音声ボタン、香料ボタン、タイマー及びセンサーを設けたことを特徴とする請求項５又は請求項８又は請求項９記載のブラックライトによる蛍光装飾置物。
【請求項１１】
中心に長方形状の窪みがある額縁の下部に時計を設置し、前記窪みに交換可能なシートを取り付け、前記シートに海や海岸等の景色を描き、蛍光塗料で描いた太陽、ヒトデ又は貝等を貼り付け、前記窪みの上面に設置したブラックライトで照射するようにした額縁時計で、前記額縁時計を幻想的な掛け時計にしたことを特徴とするブラックライトによる蛍光装飾置物。
【発明の詳細な説明】
【技術分野】
【０００１】
本発明は、蛍光塗料にブラックライトを当てることにより幻想的な表現を行うブラックライトによる蛍光装飾置物に関する発明である。
【背景技術】
【０００２】
従来のブラックライトの利用法としては、屋内又は屋外において蛍光塗料などを塗った蛍光体にブラックライトを照射していた。また、特許文献１記載の発明のように、照明として使用する発明も公開されている。
【特許文献１】特開２００３−２７２４２１号公報
【発明の開示】
【発明が解決しようとする課題】
【０００３】
しかしながら、屋外などに蛍光体を設置し、ブラックライトを照射するような場合には、設備的に大掛かりとなってしまう場合がある。また、単に照明として使う以外に、装飾効果の大きいものを求めたい場合もある。
【０００４】
そこで、本発明は、ブラックライトと蛍光体をコンパクトにまとめて、幻想的な空間を創り上げることを目的とするものである。
【課題を解決するための手段】
【０００５】
本発明は、上記の課題を解決するために、蛍光塗料を照らすブラックライトをカバーで覆った照明部と、前記照明部の下側に、内部に取替可能な背景を設置したケース、前記ケースを支える枠並びに前記枠の下部の台に設けられたライトボタン、音声ボタン、香料ボタン、タイマー及びセンサーからなる本体部とからなり、背景として泡や浮遊物等を蛍光塗料で描き、ケース内に砂を敷き、蛍光塗料で塗装した珊瑚礁、ヒトデ及び貝等を置くことで、幻想的な海底の景色を表現したことを特徴とするブラックライトによる蛍光装飾置物の構成とした。
【発明の効果】
【０００６】
本発明は、以上の構成であるから以下の効果が得られる。第１に、狭いケース内に蛍光塗料を用いて景色を創り上げ、ブラックライトを照射することで、蛍光箇所を浮かび上がらせて強調した幻想的な空間を表現することができる。
【０００７】
第２に、蛍光塗料で描いた絵画とは異なり、背景に加えて珊瑚礁や貝等の模型も用いているので、立体的に表現することができる。更に、音や香りと組み合わせることで、より幻想的な空間を演出することができる。
【０００８】
第３に、背景等を入れ替えることができるようにしたことで、簡単に別の景色へと変更させることができる。また、屋外灯や看板灯などにおいても簡単に内容変更可能なブラックライトを利用した蛍光装飾を実現することができる。
【発明を実施するための最良の形態】
【０００９】
ブラックライトによる蛍光装飾置物におけるブラックライト等の電源は、背面からコードを延ばし、プラグをコンセントに差し込むことによって供給するほか、数本の電池を内蔵させることにより供給できるようにする。
【実施例１】
【００１０】
以下に、添付図面に基づいて、本発明であるブラックライトによる蛍光装飾置物について詳細に説明する。図１は、本発明であるブラックライトによる蛍光装飾置物の実施例１における正面図である。
【００１１】
本発明であるブラックライトによる蛍光装飾置物１は、蛍光塗料を照らすブラックライト２ｂをカバー２ａで覆った照明部２と、前記照明部２の下側に、内部に取替可能な背景５を設置したケース３ｃ、前記ケース３ｃを支える枠３ａ並びに前記枠３ａの下部の台３ｂに設けられたライトボタン４、音声ボタン４ａ、香料ボタン４ｂ、タイマー４ｃ及びセンサー４ｄからなる本体部３とからなり、背景５として泡５ａや浮遊物５ｂを蛍光塗料で描き、ケース３ｃ内に蛍光塗料で塗装した砂６、珊瑚礁６ａ、ヒトデ６ｂ及び貝６ｃ、６ｄ、６ｅ等を置くことで、幻想的な海底の景色を表現したことを特徴とする。
【００１２】
照明部２は、カバー２ａとブラックライト２ｂとからなる。カバー２ａは、下側の空いた箱状の蓋で、本体部３の上に載せる。内部に直管型のブラックライト２ｂを嵌め込むソケットが存在し、電源を供給してブラックライト２ｂの明かりを本体部３に照射する。
【００１３】
ブラックライト２ｂとは、可視光線をほとんど放射せず、３００〜４５０ｎｍの近紫外線を放射するランプで、蛍光物質を光らせる作用がある。ブラックライト２ｂには、可視光線を吸収し、近紫外線を効率良く透過する濃青色の特殊フィルターガラス管が用いられる。
【００１４】
本体部３は、枠３ａ、台３ｂ、ケース３ｃ及びブラックライト３ｄからなる。本体部３は、狭い空間内に様々な景色を創り出すための容器で、ブラックライト２ｂを照らしたりすることで幻想的に表現することができる。
【００１５】
台３ｂには、ライトボタン４、音声ボタン４ａ、香料ボタン４ｂ、タイマー４ｃ及びセンサー４ｄが設けられる。ライトボタン４は、ブラックライト２ｂ及びブラックライト３ｄを照射したり、切ったりするためのボタンである。
【００１６】
音声ボタン４ａは、あらかじめ登録しておいた音声や曲を鳴らすためのボタンであり、香料ボタン４ｂは、においを発生させるためのボタンである。ケース３ｃ内の内容に合ったものを設定しておくと効果的である。
【００１７】
タイマー４ｃは、指定時間経過後にブラックライト２ｂ等を消灯させるオフタイマーとしての機能である。他に指定した時間にブラックライト２ｂ等を点灯させるオンタイマーとしての機能を付けることもできる。
【００１８】
センサー４ｄは、人などが近づいた際に感知して、自動的に電源を入れるための機能である。また、センサー４ｄで感知しない時間が一定時間過ぎたら、電源を切るという機能を入れることもできる。
【００１９】
ケース３ｃは、水槽状の透明なプラスチック等で出来た入れ物である。背面側の壁に蛍光塗料を用いて描いた背景５を設置する。背景５は取替可能であり、背景５に応じてケース３ｃの内容を構成していく。
【００２０】
ブラックライト３ｄは、補助的なランプである。ブラックライト２ｂがケース３ｃの内部を全体的に照らすのに対し、ブラックライト３ｄは特定の箇所をピンポイントで照らす場合に利用する。
【００２１】
背景５の例として海底の様子を挙げる。背景５には、暗い色の塗料で染めておいた上から、泡５ａや浮遊物５ｂなどを数種類の蛍光塗料を用いて描く。ブラックライト２ｂを当てた際には、蛍光塗料の箇所のみ浮かび上がる。
【００２２】
ケース３ｃの内部には砂６を敷き詰め、蛍光塗料で色を付けた珊瑚礁６ａ、ヒトデ６ｂ、貝６ｃ、６ｄ、６ｅ等を置く。ブラックライト３ｄが当たるようにしておけば、色を付けた箇所が光って特に強調される。
【００２３】
音声ボタン４ａには泡の音などを設定し、香料ボタン４ｂには潮の匂いなどを設定しておけば、部屋に居ながらにして海底にいる気分に浸ることができる。また、リラックス効果のある曲や香りにすれば、精神的に癒す効果も期待できる。
【実施例２】
【００２４】
図２は、本発明であるブラックライトによる蛍光装飾置物の実施例２における正面図である。ブラックライトによる蛍光装飾置物１ａは、背景５及びケース３ｃの内部を変更して田舎の風景を表現した例である。
【００２５】
背景５には、実施例１と同様に、暗い色で下地を染めておき、山５ｃ、月５ｄ又は星５ｅなどを数種類の蛍光塗料を用いて描く。ブラックライト２ｂを当てた際には、蛍光塗料の箇所のみ浮かび上がる。
【００２６】
ケース３ｃの内部には、田舎風の民家６ｆの模型を置き、屋内６ｇには蛍光塗料で色付けした家具や人を配置する。その他、屋外には数種類の蛍光塗料で色を付けた草６ｈなども設置する。
【００２７】
民家６ｆの天井付近には、小型のブラックライト３ｅを取り付け、民家６ｆの中を照らせるようにする。ブラックライト３ｅを当てると、蛍光塗料を付けた家具等が強調されて表現される。
【００２８】
ブラックライト３ｄを草６ｈに当てて強調したり、音声ボタン４ａや香料ボタン４ｂには田舎を感じさせるものを設定しておけば、部屋に居ながらにして田舎の風景を感じ取ることができる。
【００２９】
ブラックライトによる蛍光装飾置物１ａのように、背景５を交換し、ケース３ｃの中身を入れ替えれば、簡単に異なった景色、例えば、ビルの夜景や渓谷などへと変更することができる。
【実施例３】
【００３０】
図３は、本発明であるブラックライトによる蛍光装飾置物を屋外灯に応用した場合の図である。屋外灯消灯時７はブラックライトを消灯している状態であり、屋外灯点灯時７ａはブラックライトを点灯した状態である。
【００３１】
屋外灯８は、円筒状の外側ガラス管８ａの内部に内側ガラス管８ｈを入れて２重にし、前記内側ガラス管８ｈの表面に交換可能なフィルム８ｄを巻き付け、前記フィルム８ｄに蛍光塗料により絵柄８ｅを描き、ブラックライト８ｂで照射するようにしたもので、上部にぶら下げるための留め金８ｃも有する。
【００３２】
屋外灯消灯時７においては、フィルム８ｄに描かれた絵柄８ｅはあまり目立たないが、屋外灯点灯時７ａにおいては、ブラックライト８ｂが点灯８ｇされることで蛍光箇所が発光した絵柄８ｆになる。
【００３３】
絵柄８ｅを外側ガラス管８ａ及び内側ガラス管８ｈと類似色の蛍光塗料で描いておけば、屋外灯消灯時７では見えないが、ブラックライト８ｂを点灯８ｇした屋外灯点灯時７ａでは、絵柄８ｆが浮き上がるようにすることもできる。
【００３４】
図４は、本発明であるブラックライトによる蛍光装飾置物を屋外灯に応用した場合の上から見た断面図及びフィルムを示す図である。屋外灯断面７ｂは、屋外灯８を上から見た断面図であり、フィルム取外時７ｃは、内側ガラス管８ｈに巻いてあるフィルム８ｄを取り外して広げた状態である。
【００３５】
屋外灯断面７ｂにおいては、円筒状の外側ガラス管８ａの内側に円筒状の内側ガラス管８ｈが存在する。内側ガラス管８ｈの表面にはフィルム８ｄが巻かれている。外側ガラス管８ａは透明であり、内側にあるフィルム８ｄが見えるようになっている。
【００３６】
フィルム８ｄは、巻き付ける際に上フック９を上フック受け９ｂに、下フック９ａを下フック受け９ｃに掛けることにより留められている。上下フック９、９ａを外すと、フィルム取外時７ｃに示すように１枚のフィルム８ｄになる。
【００３７】
あらかじめフィルム８ｄを複数枚用意しておき、それぞれ異なった絵柄８ｅを描いておけば、フィルム８ｄを交換するだけで、簡単に違う絵柄８ｅの屋外灯８へと変えることができる。
【００３８】
例えば、春夏秋冬それぞれの風景を表す絵柄８ｅを用意しておき、季節に応じて変えるとか、朝昼晩を表した絵柄８ｅを用意しておき、時間ごとに変えていくといった使い方が考えられる。
【００３９】
また、内側ガラス管８ｈの内側にモーター等の動力を付けて、内側ガラス管８ｈが回転するようにすれば、絵柄８ｅが次第に変化していくようにすることもできる。その際、ブラックライト８ｂが点灯８ｇする範囲を一部分に絞っておけば、場面ごとに表示させることもできる。
【実施例４】
【００４０】
図５は、本発明であるブラックライトによる蛍光装飾置物を看板灯に応用した場合の図である。ブラックライトで発光させた看板灯によって幻想的に演出すれば、店等の宣伝効果もかなり高くなる。
【００４１】
看板灯１０は、直方体状の透明なケース１０ａの中に蛍光塗料で書いた文字板１１ｃ、１１ｄ、１１ｅを持たせた人形１１、１１ａ、１１ｂを配置し、ブラックライト１０ｂで照射するようにしたもので、下面に支えるための左脚１０ｃ及び右脚１０ｄを持つ。
【００４２】
看板灯１０は通行人に対し店等を知らせるためのものなので、文字板１１ｃ、１１ｄ、１１ｅには、店の名称等を書いておく。ブラックライト１０ｂを照射すると、蛍光箇所が発光して強調されて、宣伝効果が大きくなる。
【００４３】
人形１１、１１ａ、１１ｂについては、春用、夏用、秋用及び冬用の服装のものをそれぞれ用意しておけば、季節に応じて入れ替えることができる。簡単に交換可能とすることで、季節に沿った看板灯１０とすることができる。
【００４４】
ブラックライト１０ｂを、最初文字板１１ｃだけに当て、一定時間経過後に文字板１１ｄに移し、更に一定時間経過後に文字板１１ｅに移すということを繰り返すことで、一定間隔ごとに変化のある看板灯１０にすることもできる。
【実施例５】
【００４５】
図６は、本発明であるブラックライトによる蛍光装飾置物に使用する蛍光塗料を示す図である。蛍光塗料１２には、ターナー（登録商標）アクリルガッシュの蛍光グリーン等やバニーコーポレーションのリキテックス（登録商標）ソフトタイプの蛍光ブルー等を使用する。
【００４６】
アクリルガッシュは水溶性で乾きも早く、乾燥後は強い耐水性になるアクリル絵具である。被覆力と接着力に優れ、色の伸びが良く、不透明でムラのない美しいツヤ消しに仕上げることができる。
【００４７】
リキテックス（登録商標）ソフトタイプは練り調子が硬くなく、サラッとした乳液状の絵具であり、顔料濃度が高いので平塗りでムラになりにくく、水で薄めるのも大変簡単である。
【００４８】
図７は、本発明であるブラックライトによる蛍光装飾置物の本体部の平面図である。本体部３の上にある照明部２は取り外すことができ、空いた上面から簡単に背景５を交換したり、ケース３ｃ内の珊瑚礁６ａ、ヒトデ６ｂ、貝６ｃ、６ｄ、６ｅ等を入れたり、取り除いたりすることができる。
【００４９】
透明なケース３ｃの裏側には、差込孔５ｆがあり、背景５が描かれた背景プレート５ｇを入れる。背景５を変更したい場合には、背景プレート５ｇを取り外し、また別の背景プレート５ｇを入れれば良い。背景プレート５ｇの交換は上面でなく、側面から変更できるようにしても良い。
【００５０】
背景プレート５ｇを入れ替えたら、ケース３ｃ内の珊瑚礁６ａ、ヒトデ６ｂ、貝６ｃ、６ｄ、６ｅ等を取り除いて、民家６ｆ、草６ｈ等を入れれば、簡単に景色を変更することができる。
【００５１】
差込孔５ｆを設けて背景プレート５ｇと珊瑚礁６ａ等の置物を入れる場所を分けたことで、背景プレート５ｇの背景５の絵を保護することができ、蛍光塗料が剥がれたりするのを防ぐこともできる。
【００５２】
図８は、本発明であるブラックライトによる蛍光装飾置物の民家を示す図である。ケース３ｃ内に入れていた民家６ｆは、ケース３ｃから独立して、単独の置物として使用することもできる。
【００５３】
民家６ｆの屋内６ｇの構成は、人や家具等を自由に配置することができる。天井にはブラックライト３ｅが設置されており、照射された際に蛍光塗料が付けられた部分を発光させる。
【００５４】
民家６ｆを単独の置物とする場合には、本体３の台３ｂと同様に、ライトボタン４、音声ボタン４ａ、香料ボタン４ｂ、タイマー４ｃ及びセンサー４ｄを設けることで、音や香りを発生させることもできる。
【００５５】
民家６ｆ以外の、例えばビル等においても同様に単独の置物とすることができる。ケース３ｃの中に入れて、その他の置物や背景５と組み合わせて景色を表現しても良いし、利用の仕方は使用者の自由である。
【００５６】
図９は、本発明であるブラックライトによる蛍光装飾置物の屋外灯を背景交換可能にした場合の断面図である。屋外灯断面７ｄは、屋外灯８をフィルム８ｄでなく人形８ｉ及び背景プレート５ｇを利用した場合の断面図である。
【００５７】
外側ガラス管８ａの内壁に背景プレート５ｇを入れるための差込孔８ｊを設ける。背景プレート５ｇは、外側ガラス管８ａに沿って湾曲させて入れるが、簡単に入れ替えを行うことができる。
【００５８】
内側ガラス管８ｈにフィルタ８ｄを巻き付けていた場合と同様に、人形８ｉも容易に交換可能で、背景プレート５ｇと共に入れ替えることで、様々な屋外灯８へと変更することができる。
【００５９】
図１０は、本発明であるブラックライトによる蛍光装飾置物の看板灯背景交換可能にした場合の平面図である。看板灯１０の背面の景色を背景プレートを５ｇにより交換可能としたものである。
【００６０】
ケース１０ａ内の人形１１、１１ａ、１１ｂの後ろ奥の背面に上面又は側面から背景プレート５ｇを入れるための差込孔１０ｅを設ける。季節等が変わった際に、背景プレート５ｇの入れ替えが容易にできる。
【００６１】
人形１１、１１ａ、１１ｂと共に背景プレート５ｇも交換することができ、店名等の表示も人形１１、１１ａ、１１ｂと背景プレート５ｇのどちらにさせても良いので、看板灯１０のバリエーションが豊富になる。
【００６２】
屋外灯８及び看板灯１０の場合においても、ライトボタン４、音声ボタン４ａ、香料ボタン４ｂ、タイマー４ｃ及びセンサー４ｄを設けることで、音や香りを発生させることができる。
【００６３】
図１１は、本発明であるブラックライトによる蛍光装飾置物の交換可能な背景プレートを示す図である。背景プレート５ｇは、取り付ける器具の差込孔５ｆ、８ｊ、１０ｅの大きさに合わせて作成する。
【００６４】
背景プレート５ｇの背景５は、使用者が自由に絵を描くこともできるし、プリンター等により定型的な印刷物として大量に作成することもできる。印刷したものを板などに貼り付けて背景プレート５ｇとすることもできる。
【００６５】
背景プレート５ｇは、紙やプラスチック等材質は問わないが、形状が湾曲している箇所に使用する場合には曲げたりする必要がある。また、紙等をジグザグ状に折り曲げたりするなど様々な形で利用できる。
【実施例６】
【００６６】
図１２は、本発明であるブラックライトによる蛍光装飾置物の額縁時計に応用した場合の図である。額１３ａに時計１３ｂを設置し壁に掛けると、ブラックライト１３ｃで照射することによって幻想的に発光する掛け時計となる。
【００６７】
額縁時計１３は、中心に長方形状の窪み１３ｄがある額１３ａの下部に時計１３ｂを設置し、前記窪み１３ｄに交換可能なシート１３ｅを取り付け、前記シート１３ｅに海１４や海岸１４ａ等の景色を描き、蛍光塗料で描いた太陽１４ｂ、ヒトデ１４ｃ又は貝１４ｄ等を貼り付け、前記窪み１３ｄの上面に設置したブラックライト１３ｃで照射する。
【００６８】
時計１３ｂは、額１３ａの空いている箇所であれば、どこに設置しても構わない。また、時計１３ｂは、アナログ時計であっても、デジタル時計であっても良いし、表示形式等も限定しない。
【００６９】
ブラックライト１３ｃは、窪み１３ｄの上面に溝を設けて嵌め込むようにすると、内側に隠れた形とすることができる。点灯した際に下側を照射し、蛍光塗料が塗ってある箇所を発光させる。
【００７０】
シート１３ｅは容易に付け替えることができ、海岸１４の風景以外のものを取り付けることができる。また、太陽１４ｂ等は付け替え可能で、代わりに月等を貼り付けることもできる。
【００７１】
以上のように、本発明であるブラックライトによる蛍光装飾置物１は、狭いケース３ｃ内に蛍光塗料を用いて景色を創り上げ、ブラックライト２ｂを照射することで、蛍光箇所を浮かび上がらせて強調した幻想的な空間を表現することができる。
【００７２】
また、蛍光塗料で描いた絵画とは異なり、背景５に加えて珊瑚礁６ａや貝６ｃ等の模型も用いているので、立体的に表現することができる。更に、音や香りと組み合わせることで、より幻想的な空間を演出することができる。
【００７３】
更に、背景等を入れ替えることができるようにしたことで、簡単に別の景色へと変更させることができる。また、屋外灯や看板灯などにおいても簡単に内容変更可能なブラックライトを利用した蛍光装飾を実現することができる。
【産業上の利用可能性】
【００７４】
時間が経過するごとに、ケース３ｃ内の背景５等が変化する仕組みを組み込めば、更に幻想的に演出することができる。また、センサー４ｄで感知することにより変化させるという方法も考えられる。
【図面の簡単な説明】
【００７５】
【図１】本発明であるブラックライトによる蛍光装飾置物の実施例１における正面図である。
【図２】本発明であるブラックライトによる蛍光装飾置物の実施例２における正面図である。
【図３】本発明であるブラックライトによる蛍光装飾置物を屋外灯に応用した場合の図である。
【図４】本発明であるブラックライトによる蛍光装飾置物を屋外灯に応用した場合の上から見た断面図及びフィルムを示す図である。
【図５】本発明であるブラックライトによる蛍光装飾置物を看板灯に応用した場合の図である。
【図６】本発明であるブラックライトによる蛍光装飾置物に使用する蛍光塗料を示す図である。
【図７】本発明であるブラックライトによる蛍光装飾置物の本体部の平面図である。
【図８】本発明であるブラックライトによる蛍光装飾置物の民家を示す図である。
【図９】本発明であるブラックライトによる蛍光装飾置物の屋外灯を背景交換可能にした場合の断面図である。
【図１０】本発明であるブラックライトによる蛍光装飾置物の看板灯背景交換可能にした場合の平面図である。
【図１１】本発明であるブラックライトによる蛍光装飾置物の交換可能な背景プレートを示す図である。
【図１２】本発明であるブラックライトによる蛍光装飾置物の額縁時計に応用した場合の図である。
【符号の説明】
【００７６】
１        ブラックライトによる蛍光装飾置物
１ａ      ブラックライトによる蛍光装飾置物
２        照明部
２ａ      カバー
２ｂ      ブラックライト
３        本体部
３ａ      枠
３ｂ      台
３ｃ      ケース
３ｄ      ブラックライト
３ｅ      ブラックライト
４        ライトボタン
４ａ      音声タン
４ｂ      香料ボタン
４ｃ      タイマー
４ｄ      センサー
５        背景
５ａ      泡
５ｂ      浮遊物
５ｃ      山
５ｄ      月
５ｅ      星
５ｆ      差込孔
５ｇ      背景プレート
６        砂
６ａ      珊瑚礁
６ｂ      ヒトデ
６ｃ      貝
６ｄ      貝
６ｅ      貝
６ｆ      民家
６ｇ      屋内
６ｈ      草
７        屋外灯消灯時
７ａ      屋外灯点灯時
７ｂ      屋外灯断面
７ｃ      フィルム取外時
７ｄ      屋外灯断面
８        屋外灯
８ａ      外側ガラス管
８ｂ      ブラックライト
８ｃ      留め金
８ｄ      フィルム
８ｅ      絵柄
８ｆ      絵柄
８ｇ      点灯
８ｈ      内側ガラス管
８ｉ      人形
８ｊ      差込孔
９        上フック
９ａ      下フック
９ｂ      上フック受け
９ｃ      下フック受け
１０        看板灯
１０ａ      ケース
１０ｂ      ブラックライト
１０ｃ      左脚
１０ｄ      右脚
１０ｅ      差込孔
１１        人形
１１ａ      人形
１１ｂ      人形
１１ｃ      文字板
１１ｄ      文字板
１１ｅ      文字板
１２        蛍光塗料
１３        額縁時計
１３ａ      額
１３ｂ      時計
１３ｃ      ブラックライト
１３ｄ      窪み
１３ｅ      シート
１４        海
１４ａ      海岸
１４ｂ      太陽
１４ｃ      ヒトデ
１４ｄ      貝
【図１】
2005219385.tif 000003
【図２】
2005219385.tif 000004
【図３】
2005219385.tif 000005
【図４】
2005219385.tif 000006
【図５】
2005219385.tif 000007
【図６】
2005219385.tif 000008
【図７】
2005219385.tif 000009
【図８】
2005219385.tif 000010
【図９】
2005219385.tif 000011
【図１０】
2005219385.tif 000012
【図１１】
2005219385.tif 000013
【図１２】
2005219385.tif 000014